(57)【要約】【課題】  折り曲げ部を９０°に折り曲げた際に、折り曲げ部が裂けることなくかつ正確に９０°に折り曲げた状態で維持される壁装用コーナー材を提供する。加えて、折り曲げ部上面の折り曲げ位置や、折り曲げ部下面の折り曲げ位置を正確に制御することができる壁装用コーナー材を提供する。【解決手段】  壁の縁面に添設される取付部と、壁の角部に取り付けられる定規部が設けられた壁装用コーナー材において、壁装用コーナー材は、前記定規部は壁の角部に円弧形状を形成するための定規部中心部と、前記壁装用コーナー材を折り曲げるための折り曲げ部を備え、前記折り曲げ部は、半硬質の合成樹脂製でありかつ前記定規部中心部と前記取付部との間に設けられ、前記折り曲げ部の断面底面は、底辺を除く三角形状の２辺で形成された谷部を備え、前記谷部は、前記壁装用コーナー材を折り曲げた際の下部屈曲点とされている。【選択図】図４
2020158958.tif 000002
【特許請求の範囲】
【請求項１】
壁の縁面に添設される取付部と、壁の角部に取り付けられる定規部が設けられた壁装用コーナー材において、前記定規部は壁の角部に円弧形状を形成するための定規部中心部と、前記壁装用コーナー材を折り曲げるための折り曲げ部を備え、前記折り曲げ部は、半硬質の合成樹脂製でありかつ前記定規部中心部と前記取付部との間に設けられ、前記折り曲げ部の断面底面は、底辺を除く三角形状の２辺で形成された谷部を備え、前記谷部は、前記壁装用コーナー材を折り曲げた際の下部屈曲点とされていることを特徴とする壁装用コーナー材。
【請求項２】
前記壁装用コーナー材を扁平にした状態で水平に配置させた際に、前記折り曲げ部の断面上面と前記定規部中心部の断面下面との接合面が、略水平の面として接合されているとともに、前記折り曲げ部には、前記接合面に対して所定の角度の傾斜が設けられることを特徴とする請求項１記載の壁装用コーナー材。
【請求項３】
前記半硬質性の折り曲げ部の断面底面が、前記定規部中心部の端部から連接されて、前記断面底面に形成された頂部まで円弧形状が形成されることを特徴とする請求項１または２記載の壁装用コーナー材。
【請求項４】
前記定規部中心部の上面は円弧形状であり、前記円弧形状は中心角が１０５°であり、壁から張り出した形状とされることを特徴とする請求項１から３のいずれか一項記載の壁装用コーナー材。
【発明の詳細な説明】
【技術分野】
【０００１】
本発明は、クロスなどの壁装材を壁面に貼り付けて仕上げるクロス仕上げ工事において、壁の角部を綺麗に仕上げる目的で壁下地に貼り付けて用いる場合や、左官仕上げ工事において、塗り壁の角部を綺麗に仕上げる目的、また、端部起し等、壁の端部を綺麗に仕上げる目的でモルタル等の塗り壁装材に埋め込んで用いる壁装用コーナー材（壁装用コーナー材）に関する。
【背景技術】
【０００２】
この種の壁装用コーナー材は、建造物の出隅壁を形成する壁角部縁面に添設される取付部と、壁角部から張り出される円弧形状の定規部を有し、前記定規部の頭頂箇所を規準にしてモルタル等の塗り壁材を塗布することにより厚み出しと角出しを行ない、前記塗り壁材の乾燥固化後、その表面に吹き付け塗装を行なっている。上記頭頂箇所の表面（頭頂面）は上記塗布された塗り壁材表面より露出されて角出しと角部補強とが図られ、露出された前記頭頂箇所の表面は吹き付け塗装により塗り壁材表面から連続する塗膜で覆われ隠蔽される。前記定規部は、張り出し、突出した形状のものもある。
【０００３】
従来技術として、壁の角部に円弧形状を形成する壁装用コーナー材として次のものが開示されている（特許文献１〜３）。特許文献１には、該コーナー部の仕上げを、丸みを帯びた美麗なものとするためのコーナー材に関するもので、幅方向の中央部に縦方向の中心線に沿って折り曲げ可能な蝶番部を設け、該蝶番部の左右両側にそれぞれ所定幅のプレートを一体に設けたコーナー材であって、前記蝶番部には、軟質の筋と硬質の筋とが複数条交互に形成されていることを特徴とするコーナー材（請求項１）や、左右のプレートの裏面側に接着剤層が形成されているコーナー材が開示されている（請求項３）。
【０００４】
特許文献２には、壁下地などの出隅部や入隅部に所望の曲面を画一的に得られ、安全で美麗な外観に仕上げられるようにするものであり、隅角部に固定される長尺のコーナーテープ１１において、隅角に固定される直線状の隅角相当部１２と、隅角の両側に固定され複数の貫通穴３１を有する板状の平板部１３を幅方向に配設する。これら左右一対の平板部１３は隅角相当部１２に対して、隅角相当部１２および平板部１３よりも柔軟で変形容易な材料からなるヒンジ部１４で一体形成して、平板部１３同士が同一平面上に並んだ平らな形状とする。隅角相当部１２における固定時に表面側に現れる面に、平板部１３における固定時に表面側に現れる面よりも突出して幅方向に湾曲する外側Ｒ面部２１を形成する。
【０００５】
特許文献３には、壁の角部に簡単かつ正確に位置決め可能な壁装用コーナー材に関するもので、壁の縁面に添設される取付部と、壁の角部に円弧形状を形成するための定規部が設けられ、前記定規部の内側には前記壁の角部に対して前記壁装用コーナー材を位置決するための凹溝が形成された壁装用コーナー材が開示されている（要約）。
【先行技術文献】
【特許文献】
【０００６】
【特許文献１】特開２００８−０５７２４８号公報
【特許文献２】特開２０１５−１２４５９０号公報
【特許文献３】特開２０１７−０５３１００号公報
【発明の開示】
【発明が解決しようとする課題】
【０００７】
ところで、壁装用コーナー材の前記蝶番部や前記ヒンジ部が円弧形状である場合、壁の角部が直角の形状であったり、面取りされている場合もあったりするため、壁の角部に対して、正確に前記蝶番部や前記ヒンジ部を配置して壁装用コーナー材を取り付けることが困難で、壁の縁面の左右のうちのいずれかに傾いて取り付けられてしまうことが多い。そして、さらに壁装用コーナー材の取付部等に剥離紙付きの接着部材が貼着されているものでは（特許文献１の請求項３を参照）、壁装用コーナー材を壁の角部に対して位置決めしてからその状態を維持したまま剥離紙を剥がそうとすると、せっかく位置決めした壁装用コーナー材が移動してしまい、壁の角部に正確に円弧形状を形成することができなくなってしまう。
【０００８】
また、従来の壁装用コーナー材では、折り曲げ部の形状および材質の検討が不十分であったたため、壁装用コーナー材を９０°に折り曲げた際に、折り曲げ部が裂けてしまう事態や、壁装用コーナー材が９０°よりもやや開いた状態に戻ってしまう事態が生じていた。加えて、折り曲げ部上面の折り曲げ位置や、折り曲げ部下面の折り曲げ位置を正確に制御することはできなかった。そのため正確な位置決めをすることが困難であった。
【０００９】
そこで、本発明の目的は、折り曲げ部を９０°に折り曲げた際に、折り曲げ部が裂けることなくかつ正確に９０°に折り曲げた状態で維持される壁装用コーナー材を提供することを目的とする。加えて、折り曲げ部上面の折り曲げ位置や、折り曲げ部下面の折り曲げ位置を正確に制御することができる壁装用コーナー材を提供することを目的とする。そしてこれにより、壁の角部に対して簡単かつ正確に位置決めすることが可能な壁装用コーナー材を提供することを目的とする。
【課題を解決するための手段】
【００１０】
ここで、「軟質の合成樹脂」とは、軟質のポリ塩化ビニル、スチレン系熱可塑性エラストマー、オレフィン系熱可塑性エラストマー等の合成樹脂であり、デュロメータ硬さ（ＪＩＳ  Ｋ  ７２１５に準拠）がタイプＡで３０以上で、かつ９０以下とする。
また、「半硬質の合成樹脂」とは、半硬質のポリ塩化ビニルや上記ポリスチレンとスチレン系熱可塑性エラストマーとの混合材料、上記ポリオレフィンとオレフィン系熱可塑性エラストマーとの混合材料等で形成された合成樹脂であり、デュロメータ硬さ（ＪＩＳ  Ｋ  ７２１５に準拠）がタイプＤで４０以上で、かつ８０以下とする。
そして、「硬質の合成樹脂」とは、ポリ塩化ビニル、耐衝撃性ポリスチレン、アクリルニトリルーブタジエンースチレン共重合体（ＡＢＳ樹脂）などのポリスチレン、ポリエチレン、ポリプロピレンなどのポリオレフィン、ポリエチレンテレフタレート（ＰＥＴ樹脂）等の合成樹脂であり、デュロメータ硬さ（ＪＩＳ  Ｋ  ７２１５に準拠）がタイプＤで６５以上で、かつ１００以下とする。
本発明において、「略水平」とは、水平面(重力方向に対し垂直な面)だけでなく、水平面から１０°以下(好ましくは５°以下)傾斜している面も含む。
本発明において、「略垂直」とは、垂直面(重力方向に対し水平な面)だけでなく、垂直面から１０°以下(好ましくは５°以下)傾斜している面も含む。
【００１１】
本発明の壁装用コーナー材は、壁の縁面に添設される取付部と、壁の角部に取り付けられる定規部が設けられた壁装用コーナー材において、前記定規部は壁の角部に円弧形状を形成するための定規部中心部と、前記壁装用コーナー材を折り曲げるための折り曲げ部を備え、前記折り曲げ部は、半硬質の合成樹脂製でありかつ前記定規部中心部と前記取付部との間に設けられ、前記折り曲げ部の断面底面は、底辺を除く三角形状の２辺で形成された谷部を備え、前記谷部は、前記壁装用コーナー材を折り曲げた際の下部屈曲点とされていることを特徴とする。
軟質の折り曲げ部の場合、折り曲げても弾性力が働いてすぐに開こうとする。本発明によれば、折り曲げ部が半硬質の為、しごいた後の戻りが少なく、テープを剥がそうとする力を小さくすることができる。本発明によれば、折り曲げ部を９０°に折り曲げた際に、折り曲げ部が裂けることなくかつ正確に９０°に折り曲げた状態で維持される。したがって、壁の角部から縁面に沿って簡単に折り曲げることが可能で、かつ前記壁装用コーナー材を壁の角部に対して位置決めした後に、位置決めした状態を維持したまま前記取付部に取り付けられている剥離紙を剥がして壁の壁面に接着することが可能で、簡単かつ正確に前記壁装用コーナー材を壁に取り付けることが可能となる。
【００１２】
本発明の壁装用コーナー材は、壁装用コーナー材を扁平にした状態で水平に配置させた際に、前記折り曲げ部の断面上面と前記定規部中心部の断面下面との接合面が、略水平の面として接合されているとともに、前記折り曲げ部には、前記接合面に対して所定の角度の傾斜が設けられることを特徴とする。
本発明によれば、これらによって確実に、折り曲げ部と定規部中心部との谷部を、壁装用コーナー材を折り曲げた際の上部屈曲点とすることができる。したがって、折り曲げ位置を正確に制御することが可能となる。
【００１３】
本発明の壁装用コーナー材は、前記半硬質性の折り曲げ部の断面底面が、前記定規部中心部の端部から連接されて、前記断面底面に形成された頂部まで円弧形状が形成されることを特徴とする。
本発明によれば、折り曲げ部の断面底面が、前記定規部中心部の端部から連接されて、前記断面底面に形成された頂部まで円弧形状が形成されており、かつこれらが半硬質性であるため、確実に、断面底面の谷部を、壁装用コーナー材を折り曲げた際の下部屈曲点とすることができる。したがって、折り曲げ位置を正確に制御することが可能となる。
【００１４】
本発明の壁装用コーナー材は、前記定規部中心部の上面は円弧形状であり、前記円弧形状は中心角が１０５°であり、壁から張り出した形状とされることを特徴とする。
本発明によれば、定規部中心部の上面の円弧形状が９０°より大きいため、円弧形状が壁から張り出す形となり、ヘラを当ててパテ盛りをすることが容易となる。すなわち、円弧形状が壁から張り出すことで、折り曲げ部を介して定規部と取付部との間に段差が出来る結果、張り出した端部がヘラ当たり部となり、パンチ穴にパテが乗りやすくなる。
【発明の効果】
【００１５】
本発明によれば、折り曲げ部を９０°に折り曲げた際に、折り曲げ部が裂けることなくかつ正確に９０°に折り曲げた状態で維持される。加えて、折り曲げ部上面の折り曲げ位置と、折り曲げ部下面の折り曲げ位置を正確に制御することができる。そのため壁の角部から縁面に沿って簡単に折り曲げることが可能で、かつ前記壁装用コーナー材を壁の角部に対して位置決めした後に、位置決めした状態を維持したまま前記取付部に取り付けられている剥離紙を剥がして壁の壁面に接着することが可能で、簡単かつ正確に前記壁装用コーナー材を壁に取り付けることが可能となる。
【図面の簡単な説明】
【００１６】
【図１】本発明の実施形態の壁装用コーナー材をロール状に巻回した状態を示す斜視図である。
【図２】上記実施形態の壁装用コーナー材を示す側面図である。
【図３】上記実施形態の壁装用コーナー材のＡ−Ａ断面図である。
【図４】上記実施形態の壁装用コーナー材のＢ拡大図である。
【図５】上記実施形態の壁装用コーナー材のＣ拡大図である。
【図６】上記実施形態の壁装用コーナー材を壁に適用した場合の断面図である。
【図７】上記実施形態の壁装用コーナー材を壁に適用してパテ盛りをした場合の断面図である。
【発明を実施するための形態】
【００１７】
以下、本発明を実施するための形態を図面を引用しながら説明する。
【００１８】
（本発明の実施の形態）
図１は本発明の実施形態の壁装用コーナー材をロール状に巻回した状態を示す斜視図であり、図２は本実施形態の壁装用コーナー材を示す側面図である。図３は本実施形態の壁装用コーナー材のＡ−Ａ断面図であり、図４は本実施形態の壁装用コーナー材のＢ拡大図である。図５は本実施形態の壁装用コーナー材のＣ拡大図であり、図６は本実施形態の壁装用コーナー材を壁に適用した場合の断面図である。図７は本実施形態の壁装用コーナー材を壁に適用してパテ盛りをした場合の断面図である。
【００１９】
＜壁装用コーナー材１０＞
本実施の形態の壁装用コーナー材１０は、クロスなどの壁装材を壁面に貼り付けて仕上げるクロス仕上げ工事、左官仕上げ工事またはペンキ工事において、壁の角部を綺麗に仕上げる目的で使用されるコーナー材である。壁装用コーナー材１０は、壁の角部に正確に位置決めして貼り付け可能な部材であり、壁の角部Ｐに取り付けられる定規部１２と、壁の縁面Ｑに添設される一対の取付部１３，１３とを備える（図６）。壁装用コーナー材１０はロール状に捲回でき、所定の長さで引き出して切断し使用することができ、保管や販売での包装を容易にすることができる（図１）。また、スリットを形成することにより、ロール状に巻き回しても、前記壁装用コーナー材が形状を保った状態で変形してロール状に巻きまわすことができる。壁装用コーナー材１０は、押し出し一体成形で製造することが可能であるし、取付部１３と定規部１２を別々に形成して製造することも可能であり、その後、圧着や接着剤等で取り付けることが可能である。
【００２０】
前記定規部１２は、断面が円弧状である定規部中心部１２１と、当該定規部中心部１２１の両端に取り付けられた一対の折り曲げ部１２２，１２２とから構成される（図２−４，６）。定規部１２は、壁の角部Ｐの頂点部分に取り付けられた場合に壁の角部Ｐから突出してなだらかな湾曲した円弧形状を形成する（図６）。
【００２１】
定規部中心部１２１は、壁の角部Ｐの頂点部分に取り付けられ、塗り壁材もしくはクロスを取り付けた際になだらかな湾曲した円弧形状を形成するために円弧形状をなす。定規部中心部１２１は硬質の合成樹脂製である。
【００２２】
定規部中心部１２１の断面上面（塗り壁材、パテもしくはクロスを取り付ける側の側面）には、凹凸１２４が形成される（図４）。凹凸１２４は連続した凹凸形状、連続した三角形状または波形等でも良い。上面が凹凸になっていることにより、塗り壁材、パテまたはクロスが食いつき易いという効果がある。また定規部中心部１２１の断面底面（壁側に取り付ける側の面）は円弧形状である。底面に壁の角部Ｐを合わせて前記壁装用コーナー材１０を取り付けることによって、壁装用コーナー材１０を壁の角部Ｐに正確に位置決めすることが可能となる。
【００２３】
定規部中心部１２１の上面の断面形状は、円弧形状の表面に凹凸が形成された形状であり、かつ該円弧形状は、曲率半径約４．０ｍｍの円弧形状であることが望ましい。定規部中心部１２１の上面（凹凸１２４が形成された面）の曲率半径約４．０ｍｍの円弧形状は、中心角γが１０５°にされている（図７）。中心角γは９０°以上であり、好ましくは１００°〜１１０°、より好ましくは１０５°とされる。円弧形状の中心角γが９０°より大きいため、円弧形状が壁から張り出す形となり、ヘラを当ててパテ盛りをすることが容易となる。すなわち、折り曲げ部１２２と定規部中心部１２１との接合箇所１２２ａが、壁から張り出した円弧形状の端部となり、パテ盛りの際にヘラ当たり部となる。これにより、図７に示すようにパテ盛り箇所Ｓが増え、貫通穴３ａにパテが乗りやすくなる。また、側面視で定規部中心部１２１の幅１２１ｈは約４．０ｍｍで、定規部中心部１２１両端の厚みは約０．７ｍｍ、定規中心部１２１の取付部１３底面からの高さは約１．５ｍｍである（図２）。
【００２４】
一対の折り曲げ部１２２，１２２は、定規部中心部１２１と一対の取付部１３，１３の間に設けられ、壁の角部Ｐに壁装用コーナー材１０を適用する際に簡単に略９０度に折り曲げるための部材であり、一端は定規部中心部１２１の両端にそれぞれ取り付けられ、他端は一対の取付部１３にそれぞれ取り付けられる（図２，４）。一対の折り曲げ部１２２，１２２は、半硬質の合成樹脂製である。一対の折り曲げ部１２２，１２２は、取付部１３，１３に所定の角度の傾斜でそれぞれ取り付けられる（図４）。上部屈曲点１２２ａ，１２２ａから下部屈曲点１２２ｂ，１２２ｂまでの厚さは、定規部中心部１２１の厚さや、取付部１３の厚さよりも薄く形成されており、取付部１３の端部（接合箇所Ｃ２）から上部屈曲点１２２ａや下部屈曲点１２２ｂに向けてその厚みが徐々に薄くなるように形成されている（図４）。
【００２５】
折り曲げ部１２２の断面上面と定規部中心部の断面下面との接合箇所Ｃ１は、図４に示すように、壁装用コーナー材１０を扁平にして水平に配置した状態で、折り曲げ部１２２の断面上面と定規部中心部１２１の断面下面とが紙面上（図４）略水平の状態で接合されている。折り曲げ部１２２，１２２の断面上面は、折り曲げ部１２２と定規部中心部１２１との谷部１２２ａから、折り曲げ部１２２と取付部１３との接合箇所Ｃ２に向かって、紙面上（図４）下方に角度αの傾斜１２２１，１２２１が設けられている。すなわち、折り曲げ部１２２には、折り曲げ部１２２の断面上面と定規部中心部１２１の断面下面との接合面Ｃ１に対して、角度αの傾斜１２２１，１２２１が設けられており、折り曲げ部１２２と定規部中心部１２１との谷部１２２ａが、壁装用コーナー材１０を折り曲げた際の上部屈曲点１２２ａとなる。
【００２６】
各々の折り曲げ部１２２の断面底面の形状は、壁装用コーナー材１０を折り曲げた際に折り曲げやすく、かつ略９０度の角度を維持しやすいように、底辺を除く三角形状（図４）の２辺（１２２２，１２２３）で形成され、２辺（１２２２，１２２３）間の角度は鈍角とされる。２辺（１２２２，１２２３）の交わる谷部１２２ｂが、壁装用コーナー材１０を折り曲げた際の下部屈曲点１２２ｂとなる。谷部１２２ｂを形成する２辺（１２２２，１２２３）のうち定規部中心部１２１に近い側に形成された１辺（１２２２）は取付部１３に近い側に形成された他辺（１２２３）よりも短くされており、下部屈曲点１２２ｂは、折り曲げ部１２２と取り付け部１３との接合箇所Ｃ２よりも、折り曲げ部１２２と定規部中心部１２１との接合箇所Ｃ１に近い位置に形成されている。各々の折り曲げ部１２２の断面底面は、定規部中心部１２１の端部から連接し、頂部１２２４まで円弧形状１２２５が形成され、頂部１２２４から下部屈曲点１２２ｂに向かって傾斜１２２２が設けられており、上部屈曲点１２２ａから下部屈曲点１２２ｂまでの厚さは、接合箇所Ｃ１から頂部１２２４までの厚さよりも薄く形成されている。各々の折り曲げ部１２２の断面底面は、下部屈曲点１２２ｂから取付部１３との接合箇所Ｃ２に向かって、紙面上（図４）下方に角度βの傾斜１２２３が設けられている。
【００２７】
以上のように、壁装用コーナー材１０を扁平にした状態で水平に配置させた際に、折り曲げ部１２２の断面上面と定規部中心部１２１の断面下面との接合面Ｃ１が、略水平の面として接合されているとともに（図４）、折り曲げ部１２２には、折り曲げ部１２２の断面上面と定規部中心部１２１の断面下面との接合面Ｃ１に対して、角度αの傾斜１２２１が設けられている。これらによって確実に、折り曲げ部１２２と定規部中心部１２２との谷部１２２ａを、壁装用コーナー材１０を折り曲げた際の上部屈曲点１２２ａとすることができる。
【００２８】
加えて、壁装用コーナー材１０を扁平にした状態で水平に配置させた際に、折り曲げ部１２２の断面上面と定規部中心部１２１の断面下面とが、略水平の面として接合され、かつ、折り曲げ部１２２の断面底面が、定規部中心部１２１の端部から連接されて、頂部１２２４まで円弧形状１２２５が形成され、かつ、底辺を除く三角形状（図４）の２辺（１２２２，１２２３）で谷部１２２ｂを形成されており、２辺（１２２２，１２２３）間の角度（谷部１２２ｂの角度）が鈍角とされている。これらによって確実に、断面底面の谷部１２２ｂが、壁装用コーナー材１０を折り曲げた際の下部屈曲点１２２ｂとなる。
【００２９】
一対の取付部１３，１３は（図３）、壁の縁面Ｑに取り付けるための長尺の形状の部材であり、一端は折り曲げ部１２２に取り付けられ、他端は取付部１３の他端部に向かってその厚みが徐々に薄くなるように形成されている。一対の取付部１３，１３は硬質の合成樹脂製である。
【００３０】
取付部１３は一部上面（塗り壁材、パテもしくはクロスを取り付ける側の側面）に凹凸１３１が形成される（図３、図５）。凹凸１３１は連続した凹凸形状、連続した三角形状または波形等でも良い。上面が凹凸になっていることにより、塗り壁材、パテまたはクロスが食いつき易いという効果がある。
【００３１】
取付部１３は、幅１３ｈは約２４ｍｍ、折り曲げ部１２２に取り付けられる一端は厚み約０．５ｍｍ、他端部での厚み約０．２５ｍｍである。この厚みが大き過ぎると他の部分に比べて仕上げ表面が盛りあがり、逆に薄すぎると強度が不十分となる。一端から他端部に向かって厚みが徐々に薄くなることによって、取付部１３の他端部と縁面Ｑとの間に大きな段差が生じず、仕上げ後の表面に筋目等が生じない。上記凹凸１３１の幅１３１ｈは約１９．０ｍｍで、他端部から０．５ｍｍ〜２．０ｍｍの幅を空けて凹凸１３１が形成されている。
【００３２】
一対の取付部１３，１３には、塗り壁材やパテが入り込むための複数の円形状の貫通穴３ａの列が形成され、貫通穴３ａは前記取付部１３の長手方向に沿って間隔をもって複数形成される。
【００３３】
貫通穴３ａは、直径約４ｍｍで、前記貫通穴３ａの中心から隣の貫通穴３ａの中心までの間隔は約７ｍｍで、列数が３列で、列と列との間隔は約６ｍｍ〜８ｍｍである。本実施の形態では、列数は３列であるが、１列でも２列でも４列以上でもよい。貫通穴は、列数が２列とされることが好ましく、これによりテープの接着力が確保される。また貫通穴３ａは、楕円形、正方形、長方形、多角形等種々選択可能である。また、貫通穴３ａのサイズや間隔、列数は取付部１３の強度や、壁の縁面Ｑへの固定度合いを考慮し、選択可能である。貫通穴３ａはパンチング等で簡単に形成可能である。
【００３４】
取付部１３の底面（壁側に取り付ける側面）には、壁の縁面Ｑに取り付けるための第１の接着部材１３２が取り付けられている。第１の接着部材１３２は、壁の縁面Ｑと取付部１３を接着できる部材であればよく、例えば離型紙付きの接着剤や両面テープ等で構成される。
【００３５】
定規部中心部１２１、折り曲げ部１２２および取付部１３等の、大きさ、長さ、厚みおよび形は、定規部中心部１２１、折り曲げ部１２２および取付部１３の強度や、縁面Ｑへの固定度合い等を考慮し、適宜選択可能である。例えば、一対の取付部１３，１３は取付部１３の他端部に向かってその厚みが徐々に薄くなるように形成されていたが、一対の取付部１３，１３の他端部から一定幅の箇所にのみ厚みが徐々に薄くなるように形成され、その他の箇所は厚みが同じになるように形成してもよい。
【００３６】
定規部中心部１２１は硬質の合成樹脂製としたが、軟質もしくは半硬質の合成樹脂製でもよい。また取付部１３は硬質の合成樹脂製としたが、軟質の合成樹脂製でもよい。定規部中心部１２１を軟質もしくは半硬質の合成樹脂製とした場合や、取付部１３を軟質の合成樹脂製とした場合は、壁装用コーナー材１０がより曲げ易くなり、壁の角部Ｐに装着しやすくなる。
【００３７】
＜壁装用コーナー材１０の取り付け方法＞
壁装用コーナー材１０を壁に取り付ける場合（図６）、壁装用コーナー材１０を、定規部中心部１２１を中心に折り曲げる。壁装用コーナー材１０は、図４に示した上部屈曲点１２２ａおよび下部屈曲点１２２ｂが支点となって折り曲げられる。そのため、前記壁装用コーナー材１０を折り曲げた場合に略９０度に形状を維持しやすくなる。よって、壁の角部Ｐに対して定規部中心部１２１を正確に位置決めすることが可能となる。折り曲げ部１２２は半硬質の素材で形成されているため折り曲げ部１２２は変形し、一対の取付部１３，１３の底面に取り付けられた第１の接着部材１３２を使用して未仕上げの壁（縁面Ｑ）に取付部１３を添着すると、壁装用コーナー材１０が定規部中心部１２１を中心に緩やかな円弧形状をなす。そして定規部中心部１２１を基準にして、塗り壁材、パテもしくはクロスを塗布する。
【００３８】
本実施の形態の壁装用コーナー材１０を使用すると、壁装用コーナー材１０を折り曲げた場合に、上部屈曲点１２２ａおよび下部屈曲点１２２ｂを支点として折れ曲がることにより、略９０度に形状を維持しやすくなる。さらに、本実施形態の壁装用コーナー材１０は一対の折り曲げ部１２２，１２２が半硬質の合成樹脂製であるため、折り曲げ部１２２が裂けることなくかつ正確に９０°に折り曲げた状態で維持される。したがって、クロス仕上げ工事、左官仕上げ工事またはペンキ工事において取扱いが容易となる。定規部中心部１２１を軟質もしくは半硬質の合成樹脂製とした場合や、取付部１３を軟質の合成樹脂製とした場合は、壁装用コーナー材１０がより曲げ易くなり、壁の角部Ｐに装着しやすくなる。そして、壁装用コーナー材１０の一部の上面が凹凸になっていることにより、塗り壁材、パテまたはクロスが食いつき易いという効果がある。また、ロール状に捲回できることによって、保管や販売での包装が容易となる。
【符号の説明】
【００３９】
１０                                      壁装用コーナー材、
１２                                      定規部、
１２１                                    定規部中心部、
１２２                                    折り曲げ部、
１３                                      取付部、
１３１、１２４                            凹凸、
１３２                                    第１の接着部材、
３ａ                                      貫通穴、
Ｐ                                        壁の角部、
Ｑ                                        壁の縁面、
Ｃ１、Ｃ２                                接合面
【図１】
2020158958.tif 000003
【図２】
2020158958.tif 000004
【図３】
2020158958.tif 000005
【図４】
2020158958.tif 000006
【図５】
2020158958.tif 000007
【図６】
2020158958.tif 000008
【図７】
2020158958.tif 000009